(57)【特許請求の範囲】
【請求項１】
音を発生するスピーカの前面側に保護部が配置された遊技機であって、
前記保護部は、複数の放音孔を備え、
前記放音孔は、前面側から背面側に向かって窄まる形状に形成されている拡散部と、前記拡散部の背面側に配されており、前記拡散部と連通し、背面側から前面側に向かって窄まる形状に形成されている集音部と、を有し、
前記放音孔の断面形状において、前記拡散部の前面側への開口角度が、前記集音部の背面側への開口角度よりも大きいことを特徴とする遊技機。
【請求項２】
前記放音孔の断面形状において、前記拡散部の前面側への開口寸法が、前記集音部の背面側への開口寸法よりも大きいことを特徴とする請求項１に記載の遊技機。
【請求項３】
前記拡散部の前面側側縁は、面取り加工されていることを特徴とする請求項１又は２に記載の遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「メダル等」と言う）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」と言う）とストップボタンが操作されたことを検出したタイミングとに基づいてリールの回転の停止を行う、いわゆるパチスロと称される遊技機が知られている。
【０００３】
このような遊技機では、演出としてスピーカを通じて音を発生させる。スピー力から発生される音は、遊技者の興味を惹かせるために、演出として重要度が増している。一方、遊技機に設けられるスピーカは、遊技者の接触等により破損するのを防止する必要がある。そこで、キャビネットに設けられた複数のスピーカ孔の裏側面にスピーカが配置された遊技機が提案されている（特許文献１参照）。特許文献１の遊技機によれば、複数のスピーカ孔が設けられたキャビネットの裏側面にスピーカを配置したので、スピーカが遊技者の接触等により破損するのを防止できる。
【先行技術文献】
【特許文献】
【０００４】
【特許文献１】特開２０１４−１００１６１号公報
【発明の概要】
【発明が解決しようとする課題】
【０００５】
しかしながら、キャビネットの裏側面にスピーカを配置すると、スピーカから発生される音の放音効率が低下するという問題がある。遊技機が設置される遊技場は、多数の遊技機が設置され、これらの遊技機からそれぞれ大音量の音が発生されている。このため、放音効率が悪いと、演出として発生されたスピーカからの音を遊技者が聞きにくくなり、演出効果が低下してしまう。
【０００６】
そこで、本発明は、このような問題点を解決し、放音効率を向上できる遊技機を提供することを目的とする。
【課題を解決するための手段】
【０００７】
本発明は、以下のような遊技機を提供する。本発明の遊技機（例えば、後述のパチスロ機１等）は、
音を発生するスピーカ（例えば、後述のスピーカ２３ＴＬ，２３ＴＲ等）の前面側に保護部（例えば、後述のスピーカカバー２１０等）が配置された遊技機であって、前記保護部は、複数の放音孔（例えば、後述の放音孔２１２等）を備え、前記放音孔は、前面側から背面側に向かって窄まる形状に形成されている拡散部（例えば、後述の拡散部２１３等）と、前記拡散部の背面側に配されており、前記拡散部と連通し、背面側から前面側に向かって窄まる形状に形成されている集音部（例えば、後述の集音部２１４等）と、を有し、
前記放音孔の断面形状において、前記拡散部の前面側への開口角度（例えば、後述の開口角度ｂ１等）が、前記集音部の背面側への開口角度（例えば、後述の開口角度ｂ２等）よりも大きいことを特徴とする。
【０００８】
このような構成の遊技機は、音を発生するスピーカの前面側に保護部が配置されている。保護部は、複数の放音孔を備える。放音孔は、前面側から背面側に向かって窄まる形状に形成されている拡散部を有する。
【０００９】
これにより、スピーカから発生された音は、放音孔の背面側における拡散部の窄まった部分で、音圧が高まり、前面側に向かって拡散する。よって、放音孔に拡散部を設けない場合に比べ、効率よく音を遠くまで伝播できる。したがって、放音効率を向上できる遊技機を提供できる。
【００１０】
また、遊技機は、遊技者や店員が頻繁に移動するため、非常にほこりが発生しやすいところで設置されている。また、遊技機に近い位置に、遊技者が座っており、遊技者は、たばこを吸ったり、飲み物を飲んだり、あるいは食べ物を食べるなど、細かなゴミが散乱するケースも多い。このような場合、ゴミやほこりなどの異物が、保護部の放音孔からスピーカ側に侵入しやすく、これによって、放音効率が低下し、演出効果が落ちてしまう。しかしながら、本発明によれば、放音孔の拡散部が背面側に向かって窄まる形状に形成されているので、遊技者に面する前面側からスピーカが配された背面側に、異物が侵入するのを防止可能となり、放音効率が低下するのを防止できる。
また、スピーカから発生された音は、放音孔の集音部において集音され、拡散部の窄まった部分に向かって音圧が高まり、前面側に向かって拡散する。よって、放音孔に拡散部及び集音部を設けない場合に比べ、より効率よく音を遠くまで伝播できる。したがって、放音効率をより向上できる遊技機を提供できる。
また、スピーカから発生された音は、放音孔の集音部において、より音圧が高まり、拡散部において、前面側から外部へより広がりながら拡散する。したがって、放音効率をより向上できる遊技機を提供できる。
【００１３】
本発明の遊技機は、前記構成に加えて、前記放音孔の断面形状において、前記拡散部の前面側への開口寸法（例えば、後述の開口寸法ａ１等）が、前記集音部の背面側への開口寸法（例えば、後述の開口寸法ａ２等）よりも大きいことを特徴とする。
【００１４】
これにより、スピーカから発生された音は、放音孔の集音部において集音され、前面側から外部へより広がりながら拡散する。したがって、放音効率をより向上できる遊技機を提供できる。
【００１５】
本発明の遊技機は、前記構成に加えて、前記拡散部の前面側側縁は、面取り加工されていることを特徴とする。
【００１７】
本発明の遊技機は、前記構成に加えて、前記保護部は、前面側に膨出する曲面形状に形成されていることを特徴とする。
【００１８】
これにより、保護部を平面形状に形成した場合に比べ、保護部の前面側の面積を広くできるので、より多くの放音孔を設けることが可能となる。したがって、放音効率をより向上できる遊技機を提供できる。
【００１９】
また、保護部を前面側に膨出する曲面形状に形成したことで、保護部の前面側からの衝撃に対する耐久性を、保護部を平面形状に形成した場合に比べ向上できる。
【発明の効果】
【００２０】
本発明によれば、放音効率を向上できる遊技機を提供できる。
【図面の簡単な説明】
【００２１】
【図１】本発明の実施の形態に係るパチスロ機の機能フローを示す図である。
【図２】本発明の実施の形態に係るパチスロ機の外部構造を示す全体斜視図である。
【図３】本発明の実施の形態に係るスピーカユニットの分解斜視図である。
【図４】本発明の実施の形態に係るスピーカカバーの放音孔の断面図である。
【図５】本発明の実施の形態に係るスピーカカバーにおける放音について説明する図である。
【図６】本発明の実施の形態に係るパチスロ機の電気的構成を示すブロック図である。
【図７】本発明の実施の形態に係るパチスロ機の主制御回路の構成を示すブロック図である。
【図８】本発明の実施の形態に係るパチスロ機の副制御回路の構成を示すブロック図である。
【発明を実施するための形態】
【００２２】
＜パチスロ機の機能フロー＞
本発明の一実施の形態を示す遊技機であるパチスロ機について説明する。はじめに、図１を参照して、遊技機の実施の形態に係る機能フローについて説明する。図１は、本発明の実施の形態に係るパチスロ機の機能フローを示す図である。
【００２３】
本実施の形態のパチスロ機では、遊技を行うための遊技媒体としてメダルを用いる。なお、遊技媒体としては、メダル以外にも、コイン、遊技球、遊技用のポイントデータ又はトークン等を適用することもできる。
【００２４】
所定の開始条件として、遊技者によりメダルが投入され、スタートレバーが操作されると、予め定められた数値の範囲（例えば、０〜６５５３５）の乱数から１つの値（以下、乱数値）が抽出される。
【００２５】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２６】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。
【００２７】
パチスロ機では、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。規定時間が１９０ｍｓｅｃである場合には、滑り駒数の最大数を図柄４コマ分に定め、規定時間が７５ｍｓｅｃである場合には、滑り駒数の最大数を図柄１コマ分に定める。
【００２８】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが入賞判定ラインに沿って表示されないようにリールの回転を停止させる。
【００２９】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロ機では、以上のような一連の流れが１回の遊技として行われる。このような内部抽籤手段、リール停止制御手段及び入賞判定手段は、後述する制御手段としての主制御回路が担う。
【００３０】
また、パチスロ機では、前述した一連の流れの中で、液晶表示装置などの画像表示装置により行う映像の表示、各種ランプにより行う光の出力、スピーカにより行う音の出力、あるいはこれらの組合せを利用して様々な演出が行われる。
【００３１】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。
【００３２】
演出内容が決定されると、演出実行手段は、リールの回転開始時、各リールの回転停止時、入賞の有無の判定時等の各契機に連動させて対応する演出を実行する。このように、パチスロ機では、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。このような演出内容決定手段及び演出実行手段は、後述する演出制御手段としての副制御回路が担う。
【００３３】
＜パチスロ機の構造＞
次に、図２を参照して、本実施形態におけるパチスロ機の外観構造について説明する。
【００３４】
［外観構造］
図２は、本発明の実施の形態に係るパチスロ機の外部構造を示す全体斜視図である。
【００３５】
図２に示すように、パチスロ機１は、外装体２を備えている。外装体２は、リールや回路基板等を収容する筐体としてのキャビネット２ａと、キャビネット２ａに対して開閉自在に取付けられたフロントドア２ｂとを有している。キャビネット２ａの両側面には、把手２ｃが設けられている（図２では一側面の把手２ｃのみを示す）。この把手２ｃは、パチスロ機１を運搬するときに手をかける凹部である。
【００３６】
キャビネット２ａの内部には、複数（例えば２１個）の図柄が周方向に沿って所定の間隔をあけて表示された複数（本実施の形態では３つ）のリール３Ｌ，３Ｃ，３Ｒが収容されている。
【００３７】
以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。上述の複数（例えば２１個）の図柄は、前述のシート材の表面に描かれている。
【００３８】
フロントドア２ｂは、ドア本体９と、画像を表示する画像表示手段としての液晶表示装置１１とを備えている。ドア本体９は、ヒンジ（不図示）を用いてキャビネット２ａに開閉自在に取り付けられている。ヒンジは、パチスロ機１の前方からドア本体９を見た場合に、ドア本体９における左側の端部に設けられている。
【００３９】
（スピーカユニット）
ドア本体９の上部には、スピーカユニット２００が設けられている。図３は、本発明の実施の形態に係るスピーカユニットの分解斜視図である。スピーカユニット２００は、前面側に配置された保護部の一例であるスピーカカバー２１０と、スピーカカバー２１０の背面側に配置されたスピーカベース２２０と、スピーカベース２２０に取り付けられるスピーカ２３ＴＬ，２３ＴＲと、を備える。
【００４０】
スピーカカバー２１０は、前面側に膨出する曲面形状に形成された板状体のカバー本体２１１と、カバー本体２１１に形成されており、カバー本体２１１を前面側から背面側に貫通する複数の放音孔２１２と、を備える。
【００４１】
図４は、本発明の実施の形態に係るスピーカカバーの放音孔の断面図である。放音孔２１２は、前面側から見て円形状に形成されており、前面側に配された拡散部２１３と、拡散部２１３の背面側に配された集音部２１４と、を備える。
【００４２】
拡散部２１３は、前面側から背面側に向かって窄まる形状（例えば、円錐形状の頂点側を平面にした形状等）に形成されている。集音部２１４は、拡散部２１３の背面側に連通し、背面側から前面側に向かって窄まる形状（例えば、円錐形状の頂点側を平面にした形状等）に形成されている。このように、放音孔２１２は、拡散部２１３の背面側に集音部２１４が連通することで、メガホン形状に形成されている。
【００４３】
また、放音孔２１２の断面形状において、拡散部２１３の前面側への開口寸法ａ１は、集音部２１４の背面側への開口寸法ａ２よりも大きい。なお、本実施形態において、拡散部２１３の前面側への開口寸法ａ１とは、カバー本体２１１における放音孔２１２の中心位置の法線方向前面側から見た、放音孔２１２の中心位置を挟んで対向する前面側側縁上の２点（Ｐ１，Ｐ２）間の寸法である。また、集音部２１４の背面側への開口寸法ａ２とは、カバー本体２１１における放音孔２１２の中心位置の法線方向背面側から見た、放音孔２１２の中心位置を挟んで対向する背面側側縁上の２点（Ｐ３，Ｐ４）間の寸法である。
【００４４】
放音孔２１２の断面形状において、拡散部２１３の前面側への開口角度ｂ１は、集音部２１４の背面側への開口角度ｂ２よりも大きい。なお、本実施形態において、拡散部２１３の前面側への開口角度ｂ１とは、拡散部２１３の側壁に沿って前面背面方向に延びる第１仮想線Ｌ１と、放音孔２１２の中心線を挟んで第１仮想線と対向する線であり、拡散部２１３の側壁に沿って前面背面方向に延びる第２仮想線Ｌ２と、の角度である。また、集音部２１４の背面側への開口角度ｂ２とは、集音部２１４の側壁に沿って前面背面方向に延びる第３仮想線Ｌ３と、放音孔２１２の中心線を挟んで第３仮想線と対向する線であり、集音部２１４の側壁に沿って前面背面方向に延びる第４仮想線Ｌ４と、の角度である。
【００４５】
また、拡散部２１３の前面側側縁及び集音部２１４の背面側側縁は、面取り加工されている。これにより、スピーカ２３ＴＬ，２３ＴＲ（図３参照）から発生された音は、スムーズに集音部２１４において集音され、拡散部２１３において拡散されるので、放音効率をより向上可能となる。
【００４６】
図３に戻って、スピーカベース２２０は、ドア本体９（図２参照）に固定されるベース本体２２１と、ベース本体２２１に形成された前面背面方向に貫通する孔であり、スピーカ２３ＴＬ，２３ＴＲの振動板の外径と略同じ大きさの内径で形成され、スピーカ２３ＴＬ，２３ＴＲが配される位置にそれぞれ設けられた開口２２２と、開口２２２の側縁から前面側に延出し、前面側から開口２２２側に向かって窄まる形状の内部空間を形成しているホーン２２３と、を備える。
【００４７】
スピーカ２３ＴＬ，２３ＴＲは、後述する副制御回路１０１（図６参照）に制御され、演出内容に対応する効果音や楽曲等の音を出力する。なお、スピーカ２３ＴＬ，２３ＴＲは、ホーン型、コーン型及びドーム型等の任意の構成とすることができるが、特に、ホーン型とすることで、放音孔２１２のメガホン形状との相乗効果も期待でき、放音効率をより向上可能となる。
【００４８】
図５は、本発明の実施の形態に係るスピーカカバーにおける放音について説明する図である。図５における破線は、スピーカ２３ＴＬ，２３ＴＲ（図３参照）から発生された音の伝播経路を模式的に示す線である。スピーカ２３ＴＬ，２３ＴＲから発生された音（以下、発生音とも言う）は、背面側から前面側に伝播し、放音孔２１２を通って、スピーカカバー２１０の内部から外部に伝播する。拡散部２１３の背面側端部の開口範囲内を伝播する発生音は、そのまま放音孔２１２を通って、スピーカカバー２１０の内部から外部に伝播する。拡散部２１３の背面側端部の開口範囲外であって、集音部２１４の背面側端部の開口範囲内を伝播する発生音は、集音部２１４の側壁で反射して、拡散部２１３の窄まった部分（背面側端部の開口）を通って、スピーカカバー２１０の内部から外部に伝播する。このように、スピーカ２３ＴＬ，２３ＴＲから発生された音は、放音孔２１２の集音部２１４において集音され、拡散部の窄まった部分に向かって音圧が高まり、前面側に向かって拡散する。
【００４９】
図２に戻って、液晶表示装置１１は、例えば、前面側（パチスロ機１の正面側であり、遊技者に対向する面）遊技上の演出に係る画像や遊技に関する情報を表示するようフロントドア２ｂのドア本体９の上部に取り付けられている。液晶表示装置１１は、映像の表示による演出を実行する他、例えば遊技機のカスタマイズや遊技履歴等の遊技台情報を表示することができる。また、液晶表示装置１１には、遊技場の管理者の操作に応じて、ホールメニューが表示される。この場合、液晶表示装置１１をタッチパネルで構成し、ホールメニューにおいて、管理者が操作可能なボタン等を表示することができる。
【００５０】
また、フロントドア２ｂは、３つのリール３Ｌ，３Ｃ，３Ｒの一部を視認させることが可能な表示窓４を有する。表示窓４は、３つのリール３Ｌ，３Ｃ，３Ｒに対応する３つの左表示窓４Ｌ，中表示窓４Ｃ，右表示窓４Ｒによって構成されている。
【００５１】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。
【００５２】
本実施形態では、表示窓４Ｌ，４Ｃ，４Ｒは、その背後に設けられた対応するリールの回転が停止したとき、各リールに描かれた複数種類の図柄のうち、連続して配置された３つの図柄を表示できる大きさに設定されている。すなわち、表示窓４Ｌ，４Ｃ，４Ｒの枠内には、リール毎に上段、中段及び下段の各領域が設けられ、各領域に１個の図柄が表示される。そして、本実施形態では、左リール３Ｌの中段領域、中リール３Ｃの中段領域、及び、右リール３Ｒの中段領域を結ぶラインを、入賞か否かの判定を行う入賞判定ラインとして定義する。
【００５３】
また、上述したリール３Ｌ，３Ｃ，３Ｒ及び液晶表示装置１１の前面側には、保護ガラス６が配設されている。これにより、液晶表示装置１１を遊技者が直接触れることができないようになっている。
【００５４】
ドア本体９の中央には、台座部１２が形成されている。この台座部１２には、遊技者の操作対象となる各種装置（メダル投入口１３、ＭＡＸベットボタン１４、１ベットボタン１５、スタートレバー１６、ストップボタン１７Ｌ，１７Ｃ，１７Ｒ、選択ボタン、決定ボタン等）が設けられている。
【００５５】
メダル投入口１３は、遊技者によって外部からパチスロ機１に投下されるメダルを受け入れるために設けられる。すなわち、メダル投入口１３は、遊技者によってメダルが投入されるためのものである。メダル投入口１３から投入されたメダルは、予め設定された枚数（例えば３枚）を上限として１回の遊技に使用され、予め設定された枚数を超えた分は、パチスロ機１の内部に預けることができる（いわゆるクレジット機能）。
【００５６】
ＭＡＸベットボタン１４及び１ベットボタン１５は、パチスロ機１の内部に預けられているメダルから１回の遊技に使用する枚数を決定するために設けられる。なお、図２には示さないが、台座部１２には、精算ボタンが設けられる。この精算ボタンは、パチスロ機１の内部に預けられているメダルを外部に引き出す（排出する）ために設けられる。
【００５７】
スタートレバー１６は、遊技者の操作に応じて全てのリール（３Ｌ，３Ｃ，３Ｒ）の回転を開始させるためのものであり、開始操作手段を構成する。
【００５８】
ストップボタン１７Ｌ，１７Ｃ，１７Ｒは、それぞれ、左リール３Ｌ、中リール３Ｃ、右リール３Ｒに対応付けて設けられ、遊技者の操作に応じて対応する各リールの回転を停止させるためのものである。これらストップボタン１７Ｌ，１７Ｃ，１７Ｒは、停止操作手段を構成する。
【００５９】
また、これらストップボタン１７Ｌ，１７Ｃ，１７Ｒは、液晶表示装置１１に表示される情報に関する操作を行う際に用いられるようになっており、例えば液晶表示装置１１の表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【００６０】
選択ボタン及び決定ボタンは、液晶表示装置１１の表示画面上における各種操作を行う際に用いられる。
【００６１】
また、台座部１２には、７セグメントＬＥＤ（LightEmittingDiode）からなる７セグ表示器２８が設けられている。この７セグ表示器２８は、特典として遊技者に対して払い出すメダルの枚数（以下、払出枚数）、パチスロ機１の内部に預けられているメダルの枚数（以下、クレジット枚数）等の情報をデジタル表示する。
【００６２】
ドア本体９の下部には、メダル払出口２１、メダル受皿２２、スピーカ２３ＵＬ，２３ＵＲ等が設けられている。メダル払出口２１は、後述のホッパー装置４３の駆動により排出されるメダルを外部に導く。メダル受皿２２は、メダル払出口２１から排出されたメダルを貯める。
【００６３】
スピーカ２３ＵＬ，２３ＵＲは、演出内容に対応する効果音や楽曲等の音を出力する。また、スピーカ２３ＵＬ，２３ＵＲは、スピーカユニット２００と同様の構成により設けられている。
【００６４】
＜パチスロ機の電気的構成＞
次に、パチスロ機１の電気的構成について、図６を参照して説明する。図６は、パチスロ機１の電気的構成を示すブロック図である。
【００６５】
図６に示すように、パチスロ機１は、キャビネット２ａに配設された主制御基板４１と、フロントドア２ｂに配設された副制御基板４２とを有している。主制御基板４１には、リール中継端子板５１と、設定用鍵型スイッチ５２と、キャビネット側中継基板５３と、ドア中継端子板５４と、電源装置４４の電源基板４４ｂとが電気的に接続されている。
【００６６】
リール中継端子板５１は、各リール３Ｌ，３Ｃ，３Ｒのリール本体の内側に配設されている。このリール中継端子板５１は、各リール３Ｌ，３Ｃ，３Ｒのステッピングモータ（不図示）に電気的に接続されており、主制御基板４１からステッピングモータに出力される信号を中継する。設定用鍵型スイッチ５２は、パチスロ機１の設定を変更する際又はパチスロ機１の設定を確認する際に使用する。
【００６７】
キャビネット側中継基板５３には、外部集中端子板５６と、ホッパー装置４３と、メダル補助収納庫スイッチ５７とが電気的に接続されている。このキャビネット側中継基板５３は、主制御基板４１から外部集中端子板５６、ホッパー装置４３、メダル補助収納庫スイッチ５７に出力される信号を中継する。つまり、外部集中端子板５６、ホッパー装置４３及びメダル補助収納庫スイッチ５７は、キャビネット側中継基板５３を介して主制御基板４１に接続されている。
【００６８】
外部集中端子板５６は、キャビネット２ａに取り付けられており、メダル投入信号、メダル払出信号及びセキュリティ信号などの信号をパチスロ機１の外部へ出力するために設けられている。
【００６９】
メダル補助収納庫スイッチ５７は、図示しないメダル補助収納庫を貫通している。このメダル補助収納庫スイッチ５７は、メダル補助収納庫がメダルで満杯になっているか否かを検出する。
【００７０】
電源装置４４の電源基板４４ｂには、電源スイッチ４４ａが接続されている。この電源スイッチ４４ａは、パチスロ機１に必要な電源を供給するときにＯＮにする。
【００７１】
ドア中継端子板５４には、メダルセンサ４６、ドア開閉監視スイッチ６１、ＢＥＴスイッチ６２、精算スイッチ６３、スタートスイッチ６４、ストップスイッチ基板６５、遊技動作表示基板６６、選択スイッチ６７、決定スイッチ６８及び副中継基板６９が接続されている。つまり、メダルセンサ４６、ドア開閉監視スイッチ６１、ＢＥＴスイッチ６２、精算スイッチ６３、スタートスイッチ６４、ストップスイッチ基板６５、遊技動作表示基板６６、選択スイッチ６７、決定スイッチ６８、操作スイッチ１５１及び副中継基板６９は、ドア中継端子板５４を介して主制御基板４１に接続されている。
【００７２】
メダルセンサ４６は、メダルが図示しないセレクタ内を通過したことを検出して、その検出結果を主制御基板４１に出力する。ドア開閉監視スイッチ６１は、フロントドア２ｂの開閉を報知するためのセキュリティ信号をパチスロ機１の外部へ出力する。ＢＥＴスイッチ６２は、ＭＡＸベットボタン１４及び１ベットボタン１５（図２参照）が遊技者により押されたことを検出して、その検出結果を主制御基板４１に出力する。
【００７３】
精算スイッチ６３は、精算ボタン（不図示）が遊技者により押されたことを検出して、その検出結果を主制御基板４１に出力する。スタートスイッチ６４は、スタートレバー１６が遊技者により操作されたこと（開始操作）を検出して、その検出結果を主制御基板４１に出力する。
【００７４】
ストップスイッチ基板６５は、回転しているリールを停止させるための回路と、停止可能なリールをＬＥＤなどにより表示するための回路を構成する基板である。このストップスイッチ基板６５には、ストップスイッチが設けられている。ストップスイッチは、各ストップボタン１７Ｌ，１７Ｃ，１７Ｒが遊技者により押されたこと（停止操作）を検出する。
【００７５】
遊技動作表示基板６６は、メダルの投入を受け付けるとき、３つのリール３Ｌ，３Ｃ，３Ｒが回動可能なとき及び再遊技を行うときに、投入されたメダルの枚数を７セグ表示器２８に表示させるための基板である。この遊技動作表示基板６６には、７セグ表示器２８とＬＥＤ７０が接続されている。ＬＥＤ７０は、例えば、遊技の開始を表示するマークや再遊技を行うマークなどを点灯させる。
【００７６】
選択スイッチ６７は、選択ボタンが遊技者により押されたことを検出して、その検出結果を主制御基板４１及び副中継基板６９に出力する。決定スイッチ６８は、決定ボタンが遊技者により押されたことを検出して、その検出結果を主制御基板４１及び副中継基板６９に出力する。
【００７７】
副中継基板６９は、副制御基板４２と主制御基板４１とを接続する配線を中継する。また、副中継基板６９は、副制御基板４２と副制御基板４２の周辺に配設された複数の基板とを接続する配線を中継する。すなわち、副中継基板６９には、副制御基板４２と、サウンドＩ／Ｏ基板７１と、ＬＥＤ基板７２と、２４ｈドア開閉監視ユニット７４と、駆動制御基板７８とが電気的に接続されている。
【００７８】
副制御基板４２は、ドア中継端子板５４と副中継基板６９を介して主制御基板４１に接続されている。また、副制御基板４２は、副中継基板６９を介して、サウンドＩ／Ｏ基板７１と、ＬＥＤ基板７２と、２４ｈドア開閉監視ユニット７４と、駆動制御基板７８とに電気的に接続されている。
【００７９】
サウンドＩ／Ｏ基板７１は、スピーカ２３ＴＬ，２３ＴＲ，２３ＵＬ，２３ＵＲへの音声の出力を行う。ＬＥＤ基板７２は、副制御回路１０１（図８参照）の制御により実行される演出に応じて、光源の一具体例を示すＬＥＤ群２５を発光させて、点滅パターンを表示する。
【００８０】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１にエラー表示を行うための信号を副制御基板４２（副制御回路１０１）に出力する。
【００８１】
副制御基板４２には、ロムカートリッジ基板７６と、液晶中継基板７７とが接続されている。ロムカートリッジ基板７６は、演出用の画像（映像）、音声、光（ＬＥＤ群２５）及び通信のデータを管理するための基板である。液晶中継基板７７は、副制御基板４２と液晶表示装置１１とを接続する配線を中継する基板である。
【００８２】
＜主制御回路＞
次に、主制御基板４１により構成される主制御回路９１について、図７を参照して説明する。図７は、パチスロ機１の主制御回路９１の構成例を示すブロック図である。
【００８３】
図７に示すように、制御手段としての主制御回路９１は、主制御基板４１上に設置されたマイクロコンピュータ９２を主たる構成要素とし、遊技の進行を制御するものである。マイクロコンピュータ９２は、メインＣＰＵ９３、メインＲＯＭ９４及びメインＲＡＭ９５により構成される。
【００８４】
メインＲＯＭ９４には、メインＣＰＵ９３により実行される制御プログラム、データテーブル、後述する副制御回路１０１に対して各種制御指令（コマンド信号）を送信するためのデータ等が記憶されている。メインＲＡＭ９５には、制御プログラムの実行により決定された内部当籤役等の各種データを格納する格納領域が設けられる。
【００８５】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【００８６】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
【００８７】
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【００８８】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００８９】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００９０】
本実施の形態では、基本的に滑り駒数の最大数を図柄４個分に定めている。したがって、左ストップボタン１７Ｌが押されたときに表示窓４の中段にある左リール３Ｌの図柄と、その４個先の図柄までの範囲内にある各図柄が、表示窓４の中段に停止可能な図柄となる。
【００９１】
＜副制御回路＞
次に、副制御基板４２により構成される副制御回路１０１について、図８を参照して説明する。図８は、パチスロ機１の副制御回路１０１の構成例を示すブロック図である。
【００９２】
図８に示すように、副制御部としての副制御回路１０１は、主制御回路９１と電気的に接続されており、主制御回路９１から送信されるコマンド信号に基づいて演出内容の決定や実行等の処理を行うとともに、図６に示す液晶表示装置１１、ＬＥＤ群２５、スピーカ２３ＴＬ，２３ＴＲ，２３ＵＬ，２３ＵＲ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【００９３】
サブＣＰＵ１０２は、主制御回路９１（図７参照）から送信されたコマンド信号に応じて、ロムカートリッジ基板７６に記憶されている制御プログラムに従い、音、光の出力、液晶表示装置１１の表示の制御を行う。ロムカートリッジ基板７６は、基本的に、プログラム記憶領域とデータ記憶領域によって構成される。
【００９４】
プログラム記憶領域には、サブＣＰＵ１０２が実行する制御プログラムが記憶されている。例えば、制御プログラムには、主制御回路９１（図７参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１による映像の表示を制御する描画制御タスク、ＬＥＤ群２５（図６参照）等の光源による光の出力を制御するランプ制御タスク、スピーカ２３ＴＬ，２３ＴＲ，２３ＵＬ，２３ＵＲによる音の出力を制御する音声制御タスク等が含まれる。
【００９５】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【００９６】
サブＲＡＭ１０３は、決定された演出内容や演出データを登録する格納領域や、主制御回路９１から送信される内部当籤役等の各種データを格納する格納領域が設けられている。
【００９７】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。
【００９８】
また、サブＣＰＵ１０２は、演出内容により指定されたサウンドデータに従ってＢＧＭなどの音をスピーカ２３ＴＬ，２３ＴＲ，２３ＵＬ，２３ＵＲにより出力させる。また、サブＣＰＵ１０２は、演出内容により指定されたランプデータに従ってＬＥＤ群２５の点灯及び消灯を制御する。
【００９９】
本実施形態によれば、以下の作用効果を奏する。パチスロ機１によれば、音を発生するスピーカ２３ＴＬ，２３ＴＲの前面側にスピーカカバー２１０が配置されている。スピーカカバー２１０は、複数の放音孔２１２を備える。放音孔２１２は、前面側から背面側に向かって窄まる形状に形成されている拡散部２１３を有する。
【０１００】
これにより、スピーカから発生された音は、放音孔２１２の背面側における拡散部２１３の窄まった部分で、音圧が高まり、前面側に向かって拡散する。よって、放音孔２１２に拡散部を設けない場合に比べ、効率よく音を遠くまで伝播できる。したがって、放音効率を向上できる遊技機を提供できる。
【０１０１】
また、パチスロ機１によれば、放音孔２１２の拡散部２１３が背面側に向かって窄まる形状に形成されているので、遊技者に面する前面側からスピーカ２３ＴＬ，２３ＴＲが配された背面側に、異物が侵入するのを防止可能となり、放音効率が低下するのを防止できる。
【０１０２】
また、パチスロ機１によれば、スピーカ２３ＴＬ，２３ＴＲから発生された音は、放音孔２１２の集音部２１４において集音され、拡散部２１３の窄まった部分に向かって音圧が高まり、前面側に向かって拡散する。よって、放音孔２１２に拡散部２１３及び集音部２１４を設けない場合に比べ、より効率よく音を遠くまで伝播できる。したがって、放音効率をより向上できる遊技機を提供できる。
【０１０３】
また、パチスロ機１によれば、スピーカ２３ＴＬ，２３ＴＲから発生された音は、放音孔２１２の集音部２１４において集音され、前面側から外部へより広がりながら拡散する。したがって、放音効率をより向上できる遊技機を提供できる。
【０１０４】
また、パチスロ機１によれば、スピーカ２３ＴＬ，２３ＴＲから発生された音は、放音孔２１２の集音部２１４において、より音圧が高まり、拡散部２１３において、前面側から外部へより広がりながら拡散する。したがって、放音効率をより向上できる遊技機を提供できる。
【０１０５】
また、パチスロ機１によれば、スピーカカバー２１０のカバー本体２１１を前面側に膨出する曲面形状に形成したので、カバー本体２１１を平面形状に形成した場合に比べ、スピーカカバー２１０の前面側の面積を広くできるので、より多くの放音孔２１２を設けることが可能となる。したがって、放音効率をより向上できる遊技機を提供できる。また、スピーカカバー２１０のカバー本体２１１を前面側に膨出する曲面形状に形成したことで、カバー本体２１１の前面側からの衝撃に対する耐久性を、カバー本体２１１を平面形状に形成した場合に比べ向上できる。
【０１０６】
なお、本発明は、上述した実施形態に限定されるものではない。例えば、本実施形態において、スピーカカバー２１０のカバー本体２１１を曲面形状に形成しているが、これに限らず、カバー本体２１１を平面形状に形成してもよい。
【０１０７】
また、本実施形態において、放音孔２１２は、拡散部２１３及び集音部２１４を備えるが、これに限らず、集音部２１４を省略し、拡散部２１３のみであってもよい。
【０１０８】
また、本実施形態において、拡散部２１３は、円錐形状の頂点側を平面にした形状で形成しているが、これに限らず、前面側から背面側に向かって窄まる形状であれば、四角錐形状や三角錐形状等の多角錐形状の頂点側を平面にした形状で形成してもよい。また、集音部２１４は、円錐形状の頂点側を平面にした形状で形成しているが、これに限らず、背面側から前面側に向かって窄まる形状であれば、四角錐形状や三角錐形状等の多角錐形状の頂点側を平面にした形状で形成してもよい。
【０１０９】
また、本実施形態において、放音孔２１２は、拡散部２１３及び集音部２１４をともに円錐形状の頂点側を平面にした形状で形成しているが、これに限らず、拡散部２１３及び集音部２１４を互いに異なる形状、例えば、拡散部２１３を円錐形状の頂点側を平面にした形状で形成し、集音部２１４を多角錐形状の頂点側を平面にした形状で形成してもよい。また、放音孔２１２のホーン形状（拡散部２１３及び集音部２１４）について、スピーカカバー２１０のカバー本体２１１の中心と遠心とで、異なる形状にしてもよい。
【０１１０】
また、本実施形態の説明では、遊技機の一例としてパチスロ機を例に説明したが、本発明は、これに限らず、スピーカを備える遊技機であれば、パチンコ遊技機等に適用することもできる。例えば、パチンコ遊技機は、遊技者の遊技操作（例えば、遊技球の発射操作）がされ、遊技媒体である遊技球が遊技盤上の始動口に入球したことに基づいて、内部当籤役（例えば、大当りか否か）が決定されるとともに、図柄表示手段によって図柄の変動表示が開始され、予め定められた停止条件の成立（例えば、図柄の変動時間が終了すること）に基づいて、図柄の変動表示が停止され、所定の図柄の組合せが表示されると、所定の利益（例えば、大当り状態への移行）が付与される。このようなパチンコ遊技機は、上記のような遊技の進行に応じた演出としての音を発生するスピーカを備えるが、このスピーカをスピーカユニット２００と同様の構成により設けてもよい。
【符号の説明】
【０１１１】
１      パチスロ機
２３ＴＬ，２３ＴＲ  スピーカ
２１０  スピーカカバー
２１２  放音孔
２１３  拡散部
２１４  集音部
【図１】
0006480301.tif 000002
【図２】
0006480301.tif 000003
【図３】
0006480301.tif 000004
【図４】
0006480301.tif 000005
【図５】
0006480301.tif 000006
【図６】
0006480301.tif 000007
【図７】
0006480301.tif 000008
【図８】
0006480301.tif 000009